【事件の表示】
　特許第３１９７１３３号「カラオケ装置」の請求項１に係る特許に対する特許異議の申立てについて、次のとおり決定する。
【結　論】
　特許第３１９７１３３号の請求項１に係る特許を維持する。
【理　由】
１．本件に係る発明
　
　本件特許第３１９７１３３号(平成１３年６月８日設定登録、請求項の数１)に係る発明は、その特許請求の範囲の請求項１に記載された次に掲げるとおりのものである（以下「本件発明」という。）。
　
「【請求項１】 発音制御命令および発音制御命令間の時間データを含むデータが時系列的に並べられた演奏データと、歌詞表示指示データおよび歌詞表示指示データ間の時間データを含むデータが時系列的に並べられた歌詞データと、ポリゴン頂点座標およびポリゴン頂点座標間の時間データを含むデータが時系列的に並べられた描画データとが含まれた曲データをホストから回線を介して記憶する曲データ記憶手段と、
前記曲データを順次時間経過にしたがって読み進め、前記演奏データに応じた楽音の合成を行う演奏処理手段と、
前記曲データを順次時間経過にしたがって読み進め、前記歌詞データに応じた歌詞を第１ビデオメモリに書き込む歌詞処理手段と、
前記曲データを順次時間経過にしたがって読み進め、前記演奏データおよび歌詞データに同期して前記描画データに基づいて前記ポリゴン頂点座標データを演算処理した結果を第２ビデオメモリに書き込むことで動く画像の描画を行う描画処理手段と、
前記第１，第２ビデオメモリに記憶された歌詞および動く画像を表示する表示手段とを具備したことを特徴とするカラオケ装置。」
　
　
　
２．特許異議申立の理由及び証拠の概要
　
　特許異議申立人は、本件発明について、次に掲げる証拠（甲第１ないし２号証、及び参考資料１ないし２）を提出し、本件発明は、甲第１ないし２号証に記載された発明に基いて、当業者が容易に発明することができたものであり、特許法第２９条第２項の規定により、特許を受けることができないものであるから、本件請求項１に係る特許を取り消すべきである旨の主張をしている。
　
　甲第１号証：特開平０３−２４１５８１号公報
　甲第２号証：特開平０５−２３３７７９号公報
　参考資料１：特開平０３−２１６７６７号公報
　参考資料２：特開平０３−２３９２８２号公報
　
　
（１）甲第１号証に記載された発明
　甲第１号証には、「カラオケ装置」について、次に掲げるａないしｇの事項を備えた発明が記載されている。
　
ａ．「しかしながら、かかる従来のカラオケ装置のように、映像を静止画にしたり、演奏されている曲と無関係に映像を流したりすると、利用者に取って動画による現実的な映像や演奏曲と映像との対比を視覚的に楽しむことができないというような問題が生じた。
　本発明は、こうした問題点に鑑みてなされたもので、利用者に取って映像内容を十分に楽しむことができ、しかも、記憶媒体に記憶すべきデータ量を極力抑えることができるカラオケ装置を提供することを目的とする。」（２頁左上欄１２行ないし右上欄２行）
　
ｂ．「即ち、本発明のカラオケ装置は、第１図に例示するように、演奏情報Ｊ１および映像情報Ｊ２を格納する記憶手段Ｍ１と、該記憶手段Ｍ１に格納された演奏情報Ｊ１および映像情報Ｊ２を取り込み、該演奏情報Ｊ１に基づく出力信号を音声出力手段Ｍ２に出力すると共に該映像情報Ｊ２に基づく出力信号を画像表示手段Ｍ３に出力する制御手段Ｍ４とを備えたカラオケ装置において、前記映像情報Ｊ２は、前記画像表示手段Ｍ３に歌詞を表示する基となる歌詞データＪ２１と、前記画像表示手段Ｍ３に背景映像を描画する手順を記したプログラムＪ２２とから構成され、前記制御手段Ｍ４は、前記プログラムＪ２２を実行させるプログラム実行部Ｍ４１と、該プログラムＪ２２の実行に伴う出力信号と前記歌詞データＪ２１に基づく出力信号とを前記画像表示手段Ｍ３に出力して、該画像表示手段Ｍ３の表示画面上に前記歌詞データＪ２１に基づく映像と前記プログラムＪ２２により描画される映像とを重畳させる重畳制御部Ｍ４２とを備えたことを特徴としている。
[作用]
　以上のように構成された本発明のカラオケ装置は、記憶手段Ｍ１に格納された演奏情報Ｊ１と、歌詞データＪ２１およびプログラムＪ２２で構成される映像情報Ｊ２とを、制御手段Ｍ４によって取り込み、同じく制御手段Ｍ４によって、その演奏情報Ｊ１に基づく出力信号を音声出力手段Ｍ２に出力すると共に、そのプログラム実行部Ｍ４１によってプログラムＪ２２を実行させ、その制御手段Ｍ４の重畳制御部Ｍ４２によって、プログラムＪ２２の実行に伴う出力信号と歌詞データＪ２１に基づく出力信号とを画像表示手段Ｍ３に出力して、表示画面上に歌詞データＪ２１に基づく映像とプログラムＪ２２により描画される映像とを重畳させるように働く。
　したがって、歌詞部を除く映像がプログラムによって組み立てられるために、従来のビデオディスクなどの映像データに比べると映像のために要するデータ量を格段に小さく抑える」（２頁右上欄７行ないし右下欄５行）
　
ｃ．「レーザディスクプレーヤ１は、装填されたレーザディスクＬＤに記憶された情報を読み取る装置で、そのレーザディスクＬＤには、第３図に示すように、最初、画像としての背景画を描画する基となる、オブジェクト形式の背景画プログラムＰＲとが記録され、その後に、演奏曲を記した演奏データＤ１とその演奏曲の歌詞を記した歌詞データＤ２とが並列に記録されている。なお、背景画プログラムＰＲと、演奏データＤ１および歌詞データＤ２との間には、演奏開始のタイミングを示す演奏開始データｄｓが、また、演奏データＤ１および歌詞データＤ２の後には、演奏終了のタイミングを示す演奏終了データｄｅがそれぞれ記録されている。また、背景画プログラムＰＲには、背景画を描くために必要な画像データも含まれている。」（２頁右下欄１５行ないし３頁左上欄１０行）
　
ｄ．「一方、レーザディスクプレーヤ１で読み取った歌詞データＤ２は、映像合成器３に入力される。映像合成器３は、その入力された歌詞データＤ２と電子制御回路５にて作成された画像データＤ３とを取り込み、両データＤ２，Ｄ３で定まる両映像をスーパインポーズしてＣＲＴディスプレイ８に表示する。」（３頁左上欄１７行ないし右上欄３行）
ｅ．「電子制御回路５は、予め設定された制御プログラムに従って各種制御のための演算処理を実行するＣＰＵ５ａ、ＣＰＵ５ａで演算処理を実行するのに必要な制御プログラムや初期データが予め記録されたＲＯＭ５ｂ、同じくＣＰＵ５ａで演算処理を実行するのに用いられるデータが一時的に記録されるＲＡＭ５ｃ、計時を行う自走式のタイマ５ｄ、外部とデータの入出力を行うための入出力部５ｅ等から構成されている。こうした電子制御回路５のＣＰＵ５ａは、ＲＯＭ５ｂに予め格納された制御プログラムに従って、以下の処理を行う。即ち、
　(1)レーザディスクプレーヤ１で読み取った背景画プログラムＰＲを入力してＲＡＭ５ｃに一括して格納する処理、
　(2)その背景画プログラムＰＲを実行して画像データＤ３を作成する処理、
　(3)その画像データＤ３をグラフィックプロセッサ９を介して画像合成器３に出力する処理
等を実行する。」（３頁右上欄４行ないし左下欄３行）
　
ｆ．「本画像データ作成処理は、レーザディスクＬＤに記録された演奏開始データｄｓをレーザディスクプレーヤ１から受け取った後に、実行されるもので、処理が開始されると、・・・・（中略)・・・・演奏終了データｄｅが入力され、演奏が終了すると判定されると、処理は「ＥＮＤ」に抜け終了する。
　一方、この画像データ作成処理の実行に対して、タイマ５ｄの値を読んで所定時間、例えば２０ｍｓｅｃ毎に割り込みをかける割込処理を実行する。
　この割り込み処理では、処理が開始されると、まず、場面展開カウンタＣＮＴを値１だけインクリメントし(Ｓ２００)、次いで、割り込みがなされた旨を示すべく割込フラグＦに値１をセットし(Ｓ２１０)、その後、処理は一旦終了する。
　即ち、前記画像データ作成処理および割込処理によれば、演奏開始データｄｓが入力されると、背景面プログラムが２０ｍｓｅｃ毎に一場面ずつ順に実行されて、ＣＲＴディスプレイ８に表示される画像が連続的な動きを持つようになされ、その後、演奏終了データｄｔが入力されると、かかる処理は終了する。
　したがって、以上のように構成された本実施例のカラオケ装置によれば、背景の映像が背景画プログラムＰＲによって組み立てられるために、従来のビデオディスクなどの映像データに比べると映像のために要するデータ量を格段に小さく抑えることができ、その結果、ディスクの使用枚数を減らすことができ、それに伴い、曲の選択に要する労力の低減、スペース効率の向上等を図ることができる。また、こうした効果を奏するにも拘らず、動画による現実的な映像を楽しむことができる。
　特に本実施例の場合、背景画プログラムＰＲの一画面の展開を時間によって管理するようなされているために、ＣＲＴディスプレイ８に映し出される映像と演奏との同期を図ることができ、両者の調和のとれた優れたものとなる。」（３頁左下欄８行ないし４頁右上欄４行）
　
ｇ．「また、第６図に示すように、レーザディスクＬＤに記録されている演奏データＤ１中に、その一画面分のデータ毎を区切る背景画切換データｄｃを付加し、この背景画切換データｄｃを検知するタイミングで背景画プログラムＰＲの一画面を展開するように構成してもよく、かかる結果、レーザディスクＬＤに予め記録したタイミングに映像を同期させることができる。」（４頁右上欄１３行ないし２０行）
　
　
（２）甲第２号証に記載された発明
　　甲第２号証には、「３次元画像データ伝送方法」について、次に掲げるｈないしｉの事項からなる発明が記載されている。
　
ｈ．「【００２８】１２は識別子ＯＰ(ｐ)に属するポリゴンデータ(ポリゴンデータ)であり、１つのポリゴンは３つ以上の頂点座標で表現され、かつ１つの頂点がＸ，Ｙ，Ｚ座標で表現されるため、ポリゴンデータは頂点１のＸ，Ｙ，Ｚ座標、頂点２のＸ，Ｙ，Ｚ座標の順番で並び、１つの識別子ＯＰ(ｐ)で示されるポリゴンの数は１つとなり、ポリゴンデータ内の座標の数でポリゴンの頂点数が判別される。」（３頁左欄４４行ないし右欄１行）
　
ｉ．「【００３０】本発明の３次元画像データ伝送方法を使用したビデオテックスシステムは、３次元画像データを蓄積してデータ要求信号により３次元画像データを伝送するセンター装置２６と、このセンター装置２６に加入者線２５を介して接続されたＩＳＤＮもしくは電話回線を制御する通信網２４と、センター装置２６に蓄積された３次元画像データを加入者線２３,２５及び通信網２４を介して受信し、受信した３次元画像データを部品毎に表示装置に展開して表示画面２１ａを生成して、すでに表示されている部品番号と同じ番号の部品を受信した場合には、先の表示を削除し、新たに部品を書き加えて表示画面２１ｂを生成する端末装置２０とで構成される。
【００３１】次に、本発明の３次元画像データ伝送方法による一実施例の動作を図２を用いて説明する。
【００３２】まず、センター装置２６から伝送されてきたデータを端末装置２０が受信すると(ステップ３０)、この受信したデータのＤＩコードから３次元画像データ(ＣＧ)であるか否かを判定する(ステップ３１)。
【００３３】この受信したデータが３次元画像データでなければ、従来のビデオテックスデータ処理に制御を移し、あるいは受信したデータが３次元画像データであれば、次のＯＰコードから続くデータが何のデータかを判定し(ステップ３２)、各々の処理に制御を移し、同様に終了コードまでのデータを処理する。
【００３４】たとえば、ＯＰコードがＯＰ(ｃ)であれば、シェーディング番号のセット処理をし(ステップ３３)、ＯＰコードがＯＰ(ｏ)であれば、部品番号を読出して表示画面中の同じ部品番号の部品を削除する(ステップ３４)。
【００３５】このＯＰ(ｏ)の次にはＯＰ（ｐ）が続き、ＯＰ（ｐ）以外のＯＰコードを受信するまで更新された部品のポリゴンデータをバッファに蓄え(ステップ３５)、ＯＰ(ｐ)以外のＯＰコードを受信した時点で更新された部品をレンダリング計算(ステップ３６)をし、表示部２１に画面を表示する(ステップ３７)。」（３頁右欄５行ないし４０行）
　
　
　
３．本件発明と甲第１号証に記載された発明との対比・検討
　本件発明と甲第１号証に記載された発明とを対比して、検討すると、甲第１号証に記載された発明は、本件発明における次に掲げる主要な事項を備えていない。
　
「発音制御命令および発音制御命令間の時間データを含むデータが時系列的に並べられた演奏データと、歌詞表示指示データおよび歌詞表示指示データ間の時間データを含むデータが時系列的に並べられた歌詞データと、ポリゴン頂点座標およびポリゴン頂点座標間の時間データを含むデータが時系列的に並べられた描画データとが含まれた曲データをホストから回線を介して記憶する」こと
　
　そして、本件発明は上記主要な事項を有することにより、本件明細書の【発明の効果】欄に記載された「演奏データおよび歌詞データに同期した動く画像の描画が行われるため、表示される歌詞および動く画像の変化を曲の進行と完全に一致させることができる」という効果を奏するものである。
　
　これに対して、甲第２号証には、上記２．（２）を参照すれば「ポリゴンデータを回線を介してホストから伝送し、描画する」という技術事項について記載されているものの、本件発明の演奏データ及び歌詞データに相当するデータを、ポリゴン頂点座標の情報と時間データを含む描画データと共に、曲データとしてホストから回線を介して記憶する点については何らの示唆もない。
　したがって、上記技術事項を甲第１号証に記載された発明に適用しても、描画データとしてのポリゴンデータが回線を介して得られるだけであって、上記主要な事項は容易に想到できたものとはいえない。
　
　
　
４．特許異議申立人の主張についての検討
　
　申立人は、「本件特許発明と甲第１号証記載の発明とは、ポリゴンデータを用いる点、演奏データに応じた楽音の合成を行う点、ビデオメモリを用いる点において異なる。しかしながら、前記したようにポリゴンデータを用いる点については、甲第２号証に開示され、また、演奏データに応じた楽音の合成を行う点、ビデオメモリを用いる点については周知技術であり、本件特許発明の構成の困難性は認められない。」旨の主張をしている（特許異議申立書１３頁９行ないし１５行参照）。
　しかしながら、演奏データに応じた楽音の合成を行う点、ビデオメモリを用いる点については周知技術であるとしても、ポリゴンデータを用いる点については、上記３．で検討したとおり、甲第２号証に記載された「ポリゴンデータを回線を介してホストから伝送し、描画する」という技術事項を甲第１号証に記載された発明に適用しても、上記主要な事項に関しては、当業者が容易に成し得たものということはできない。
　
　なお、参考文献１，２を参照しても、上記主要な事項については当業者が容易に構成できたものともいえない
　
　
　
５．むすび
　
　以上、本件特許異議申立の理由及び証拠によっては、本件請求項１に係る特許を取り消すことはできない。
　
　また、他に本件請求項１に係る特許を取り消すべき理由を発見しない。
　
　よって、結論のとおり決定する。
【異議決定日】
平成１４年４月１７日（２００２．４．１７）